(57)【要約】      （修正有）【課題】接続端子と速やかかつ確実に電気的接続が可能で、かつ接点接触面積を広く確保することができると共にがたつき等によって導通したりしなかったりすることを防止した情報通信用電気端子板を提供する。【解決手段】情報通信用電気端子板１は、回路Ｅを薄板状の基材２に形成し、基材２の厚み面と直交する平面の端縁部から接続端子Ｐの直径の１．５倍以上の長さで中央部まで抉り取った端子部３を形成し、さらに、この端子部３の、基材２の中央部に接点部３Ａを、基材３の端縁部から中央部に亘って接続端子Ｐを接点部３Ａへ誘導する接点構成とされた誘導部３Ｂを、各々形成した。【選択図】図１
0003214081.tif 000002
【実用新案登録請求の範囲】
【請求項１】
回路を薄板状の基材に形成し、電子機器側のピン状の接続端子に電気的に接続して使用する情報通信用電気端子板において、前記基材の厚み面と直交する平面の端縁部から前記接続端子の直径の１．５倍以上の長さで中央部まで抉り取った端子部を形成し、さらに、この端子部の、前記基材の中央部に接点部を、前記基材の端縁部から中央部に亘って前記接続端子を接点部へ誘導する接点構成とされた誘導部を、各々形成したことを特徴とする情報通信用電気端子板。
【請求項２】
誘導部の基材の端縁部の開口対向間隔をＡ、接点部の前記誘導部の開口間隔と同方向に測ったときの対向間隔をＢ、としたとき、Ａは、Ｂと同じ寸法又はＢの５〜１０％だけ間隔を狭くしたことを特徴とする請求項１記載の情報通信用電気端子板。
【請求項３】
接点部における最も抉り取られた位置から誘導部を形成した方向と反対側の基板余肉長さが、該基板における端子部を抉り取る方向と平行な辺の長さの１／１０以上とされていることを特徴とする請求項１又は２記載の情報通信要電気端子板。
【考案の詳細な説明】
【技術分野】
【０００１】  本考案は、接続端子と速やかかつ確実に電気的接続が可能で、かつ接点接触面積を広く確保することができると共にがたつき等によって導通したりしなかったりすることを防止した情報通信用電気端子板に関する。
【背景技術】
【０００２】  本願で対象とする情報通信用電気端子板は、情報通信用電気端子板単体を、もしくは一方の電子機器に装着又は設けられた情報通信用電気端子板を、他方の電子機器の接点部に接触させて電気的かつデータ送受可能に接続して、情報通信用電気端子板単体もしくは情報通信用電気端子板を装着又は設けた一方の電子機器と他方の電子機器との間でデータを送受信するものを意味する。【０００３】  例えば特許文献１に記載された情報通信用電気端子板は、電気的又はデータ送受可能に接続するための端子や回路が該情報通信用電気端子板とする薄板状の基材に形成され、基材において端子や回路における配列ピッチの高密度化を図るために、基材の一端部に多数の切欠きが設けられ、これらの切欠きの壁面にＩＣと電気的に接続されたメタライズ層（以下「接点部」という）からなる端子が設けられた構成とされている。【０００４】  しかしながら、特許文献１の情報通信用電気端子板は、単に、円柱の弾性導電ピンの外周に接触するように半円状に切欠いているだけであったため、離れた位置から情報通信用電気端子板を接近移動させて弾性導電ピンの外周と接点部とを接触させようとしても該切欠き位置に誘導する構成が存在しないため、速やかに接点部と弾性導電ピンとを接触させにくいといった不具合があった。【０００５】  また、特許文献１の情報通信用電気端子板は、上記のように、弾性導電ピンと接点部との接触面積が小さいため、微細な振動によって容易に接点部と弾性導電ピンとが離間してしまい、電気的かつデータ送受信の不安定で、場合によってはデータが損傷する場合があるといった不具合もあった。
【先行技術文献】
【特許文献】
【０００６】
【特許文献１】実開平３−５７０７４号公報
【考案の概要】
【考案が解決しようとする課題】
【０００７】  解決しようとする問題は、従来の特許文献１の情報通信用電気端子板では、情報通信用電気端子板の切欠きに弾性導電ピンを誘導する構成が存在しないので、速やかに接点部と弾性導電ピンを接触させにくい点、また、弾性導電ピンと接点部との接触面積が小さいため、接点部と弾性導電ピンとが離間しやすい点、である。
【課題を解決するための手段】
【０００８】  上記課題を解決するため、本考案は、回路を薄板状の基材に形成し、電子機器側のピン状の接続端子に電気的に接続して使用する情報通信用電気端子板において、前記基材の厚み面と直交する平面の端縁部から前記接続端子の直径の１．５倍以上の長さで中央部まで抉り取った端子部を形成し、さらに、この端子部の、前記基材の中央部に接点部を、前記基材の端縁部から中央部に亘って前記接続端子を接点部へ誘導する接点構成とされた誘導部を、各々形成することとした。
【考案の効果】
【０００９】  本考案の情報通信用電気端子板は、端子部に接点構成とされた誘導部を設けているので、電子機器側の接続端子と接点部とをピンポイントで一致させなくても、該情報通信用電気端子板又は情報通信用電気端子板を装着又は設けた一方の電子機器と他方の電子機器との装着状況に多少の遊びやがたつきがあっても確実に接続端子と接点部とを接触させることができるといった利点がある。【００１０】  また、本考案の情報通信用電気端子板は、誘導部も導電層を設けた接点構成とされているから、接点部のみならず接続端子との接触面積を誘導部まで拡大して広く確保することができるから、該情報通信用電気端子板又は情報通信用電気端子板を装着又は設けた一方の電子機器と他方の電子機器の両者が互いに微動して導通したりしなかったりすることを防止できる。
【図面の簡単な説明】
【００１１】
【図１】本考案の情報通信用電気端子板の具体構成を示し、（ａ）は外観斜視図、（ｂ）は正面図、（ｃ）は背面図、である。
【図２】本考案の情報通信用電気端子板の他の具体構成を示し、（ａ）は外観斜視図、（ｂ）は正面図、（ｃ）は背面図、である。
【図３】本考案の情報通信用電気端子板のさらに他の具体構成を示し、（ａ）は外観斜視図、（ｂ）は正面図、（ｃ）は背面図、である。
【考案を実施するための形態】
【００１２】  本考案の情報通信用電気端子板は、速やかに接点部と接続端子を接触させにくい点、接点部と接続端子とが離間しやすい点、を、回路を薄板状の基材に形成し、前記電子機器側のピン状の接続端子に電気的に接続するために、前記基材の厚み面と直交する平面の端縁部から前記接続端子の直径の１．５倍以上の長さで中央部まで抉り取った端子部を形成し、さらに、この端子部の、前記基材の中央部に接点部を、前記基材の端縁部から中央部に亘って前記接続端子を接点部へ誘導する接点構成とされた誘導部を、各々形成することで改善した。
【００１３】  本考案の情報通信要電気端子板の端子部において、端縁部から中央部に亘って抉り取る長さを、接続端子の直径の１．５倍以上とする理由は、これが１．５倍未満であると、該端子部に形成される接点部のみならず誘導部までに至る接続端子との接触面積を広く確保することができず、よって、該情報通信用電気端子板又は情報通信用電気端子板を装着又は設けた一方の電子機器と他方の電子機器の両者が互いに微動して導通したりしなかったりすることを防止する効果が低減するからである。
【００１４】  また、本考案の情報通信用電気端子板は、上記構成において、誘導部の基材の端縁部の開口対向間隔をＡ、接点部の前記誘導部の開口間隔と同方向に測ったときの対向間隔をＢ、としたとき、Ａは、Ｂと同じ寸法又はＢの５〜１０％だけ間隔を狭くしてもよい。
【００１５】  こうすることで、接続端子が一旦誘導部へ挿入されれば、端子部から逸脱することがなく、接点部及び誘導部において安定して接続した状態を維持できる。ここで、基材の端縁部の開口対向間隔Ａが接点部の開口間隔Ｂとを同じ寸法より広くすると、基材上で回路等を設けるスペースが減って該基材の使用効率が低下することとなるほか、接続端子と接点部と間で必要以上の余裕が生じて導通したりしなかったりする可能性がある。
【００１６】  接続端子に対して基材を水平方向から装着する際には、接続端子の直径部が基材の端縁部の開口対向間隔Ｂを超えて接点部へ移動するには基材の若干の弾性変形を要するが、Ａは、Ｂの５〜１０％以上間隔を狭くすると、接続端子に対して基材を水平方向から装着しようとすると、上記弾性変形が乏しくて接続端子の直径部が基材の端縁部の開口対向間隔Ｂを超えられない可能性がある。
【００１７】  さらに、本考案の情報通信用電気端子板は、上記構成において、接点部における最も抉り取られた位置から誘導部を形成した方向と反対側の基板余肉長さが、該基板における端子部を抉り取る方向と平行な辺の長さの１／１０以上としてもよい。
【００１８】  上記において、接点部における基板の端縁部から最も抉り取られた位置から誘導部を形成した方向と反対側の基板余肉長さが、該基板における端子部を抉り取る方向と平行な辺の長さの１／１０以上とする理由は、これが１／１０未満であると、基板の強度が脆くなる他、基板におけるスペースが極端に低下してこの部位に配線することが困難となるからである。
【実施例】
【００１９】  以下、具体的に、本発明の情報通信用電気端子板について図面を参照して説明する。本考案の情報通信用電気端子板１は、以下、本例では、例えば一方の電子機器（不図示）に取り付けられ、他方の電子機器（不図示）側のピン状の接続端子Ｐに対して、水平方向（図示Ｘ方向）又は垂直方向（図示Ｙ方向）から接続するものとして説明する。なお、情報通信用電気端子板１の基本構成について図１を参照して説明し、図２及び図３に示す変形構成については、変形構成部分のみ説明し、基本構成と重複する説明は省略する。【００２０】  情報通信用電気端子板１は、回路Ｅを薄板状の基材２に形成し、基材２の厚み面と直交する平面の端縁部から、本例では接続端子Ｐの直径の１．５倍の長さで中央部まで抉り取った端子部３を形成している。この端子部３は、基材２の４辺のうちいずれかの１辺を端縁部として該端縁部から中央部へ向けて形成されていてもよい。【００２１】  なお、情報通信用電気端子板１における、基材２の端子部３を設ける（４辺のうちの）１辺の選定と、接続端子Ｐに対する水平方向又は垂直方向の接続方向については、一方の電子機器と他方の電子機器との装着の状況による。【００２２】  端子部３は、基材２の中央部に接続端子Ｐに電気的又はデータ送受可能に接続するための接点部３Ａを形成し、基材２の端縁部から中央部に亘って接続端子Ｐを接点部３Ａへ誘導する誘導部３Ｂを、各々形成している。【００２３】  さらに、基板２における端子部３は基板２の強度が低下したり回路Ｅのレイアウトが制限されることを考慮して図１〜図３に示す本例では、次の構成としている。すなわち、端子部３は、接点部３Ａにおける最も抉り取られた位置から誘導部３Ｂを形成した方向と反対側の基板２の余肉長さＣが、該基板２におけて端子部３を抉り取る方向と平行な辺の長さＬの１／１０以上、例えばＣ＝約１／６Ｌとしている。【００２４】  接点部３Ａ及び誘導部３Ｂは、共に接点構成としている。接点構成とは、端子部３の接点部３Ａ及び誘導部３Ｂの部位における、基材２の表裏面の縁部と、該基材２の厚み端面と、に導電層３ａを設けることを意味している。なお、導電層３ａは、誘導部３Ｂにおいては、情報通信用電気端子板１の端縁部の絶縁性を確保するために基材２の端縁部には設けない。【００２５】  上記構成において、接点部３Ａは、本例の場合、一方の電子機器を他方の電子機器に対して水平方向又は垂直方向から適正に装着が完了した際に接続端子Ｐが位置する部位である。誘導部３Ｂは、一方の電子機器を他方の電子機器に対して、水平方向に装着する際には該装着移動ストロークにおける接点部３Ａまでの誘導経路として、垂直方向に装着する際には基材２の中央部（接点部３Ａ）にピンポイントで接続端子Ｐが位置しなくても装着自体に支障が生じないようにする経路保証として、機能する部位である。【００２６】  すなわち、本考案の情報通信用電気端子板１は、端子部３を接点部３Ａと誘導部３Ｂとで構成しているので、上記のとおり、接続端子Ｐに対して接点部３Ａをピンポイントで一致させたうえで一方の電子機器を他方の電子機器に対して装着ために移動させる必要がないと共に、一方の電子機器と他方の電子機器との装着状況に多��の遊びやがたつきがあっても確実に接続端子Ｐと接点部３Ａとを接触させることができる。【００２７】  また、本考案の情報通信用電気端子板１は、誘導部３Ｂも導電層を設けた接点構成とされているから、接続端子Ｐとの接触面積を広く確保することができると共に、一方の電子機器と他方の電子機器の両者が互いに微動しても導通したりしなかったりすることを防止できる。【００２８】  図２に示す情報通信用電気端子板１は、誘導部３Ｂの基材２の端椽部の開口対向間隔をＡ、接点部３Ａの誘導部３Ｂの開口間隔と同方向に測ったときの対向間隔をＢ、としたとき、ＡがＢの７．５％だけ間隔を狭くすると共に、端縁部から中央部の接点部３Ａに向けて対向間隔がしだいに広くした構成としている。【００２９】  図２に示す情報通信用電気端子板１は、上記構成とすることで、水平方向に装着する場合は接続端子Ｐが端縁部を超えて一旦誘導部３Ｂへ挿入されれば、端子部３から不用意に逸脱することが防止され、接点部３Ａ及び誘導部３Ｂにおいて接続状態を安定した状態維持できる。【００３０】  また、図２に示す情報通信用電気端子板１は、上記構成とすることで、水平方向及び垂直方向に装着する場合は、装着完了後における接続端子Ｐを端子部３の主に接点部３Ａに位置決めすることができる。【００３１】  図３に示す情報通信用電気端子板１は、誘導部３Ｂの基材２の端縁部の開口対向間隔をＡ、接点部３Ａの誘導部３Ｂの開口間隔と同方向に測ったときの対向間隔をＢ、としたとき、ＡがＢの５％だけ間隔を狭くすると共に、端縁部から中央部の接点部３Ａに向けて対向間隔が同じで、該端縁部にゲート部３ｂを形成した構成としている。【００３２】  図３に示す情報通信用電気端子板１は、上記構成とすることで、図２に示した情報通信用電気端子板１と同様に、水平方向に装着する場合は接続端子Ｐがゲート部３ｂを超えて一旦誘導部３Ｂへ挿入されれば、端子部３から不用意に逸脱することが防止され、接点部３Ａ及び誘導部３Ｂにおいて接続状態を安定した状態維持できる。
【符号の説明】
【００３３】１  情報通信用電気端子板
２  基材
３  端子部
３Ａ  接点部
３Ｂ  誘導部
３ａ  導電層
３ｂ  ゲート部
Ｅ  回路
Ｐ  接続端子
【図１】
0003214081.tif 000003
【図２】
0003214081.tif 000004
【図３】
0003214081.tif 000005